(57)【要約】【課題】  従来の災害を想定したベッドは、地震発生時の家屋や家具の下敷き被害の回避を想定しているため、枠組みが強固であり重量も重く災害時の持ち運び及び避難場所での使用が不可能であった。【解決手段】  支柱・横はり・縦はり・継手を組立式にすることにより災害時・避難時の組立及び解体が容易に出来又プライベート機能を有するベッドである。  又、持ち運びを容易にするために解体したパーツは収納ＢＯＸに納めることが出来る、この収納ＢＯＸには肩かけ・リュクかけを設けた。【選択図】図２
2007160030.tif 000002
【特許請求の範囲】
【請求項１】
支柱・横はり・縦はり・継手を組立式にしたことにより災害時・避難時・屋外使用時（キャンプ・登山等）の組立及び解体作業を容易に出来又プライベート機能を備えたことを特徴とするベッド。
【請求項２】
支柱・横はり・縦はり・継手を組立式にしたことにより背もたれ椅子及びテーブルとして使用出来ることを特徴とするベッド。
【請求項３】
支柱・横はり・縦はり・継手を組立式にしたことにより収納体積を最小に出来収納ＢＯＸに肩かけ及びリュクかけを設けたことにより持ち運びを容易に出来ることを特徴とするベッド。
【発明の詳細な説明】
【技術分野】
【０００１】  本発明は、ベッドに関するものであり、支柱・横はり・縦はり・継手に工夫を加えることにより、就寝時にはプライベート保護可能なベッドとし使用時し、昼間時にはテーブル付背もたれ椅子として使用する。
又、解体可能なため、未使用時には収納ＢＯＸに収めることにより小スペースで保管することが出来、リュクかけにリュクサック（防災袋）を掛け肩かけを利用することにより持ち運びも容易に出来る様にしたものである。
【背景技術】
【０００２】  従来から、災害を想定したベッドは存在している。
【特許文献１】  特開平１０−１１７８９４号公報
【発明の開示】
【発明が解決しようとする課題】
【０００３】  しかし、従来の発明は地震発生時の家屋や家具の下敷き被害の回避を想定しているため災害時の持ち運び及び避難場所での使用が不可能であった。
【課題を解決するための手段】
【０００４】  この課題を解決するための請求項１の発明は、支柱・横はり・縦はり・継手を組立式にしたことにより災害時・避難時の組立及び解体作業を容易に出来又プライベート機能を備えたことを特徴とするベッドである。【０００５】  この課題を解決するための請求項２の発明は、支柱・横はり・縦はり・継手を組立式にしたことにより背もたれ椅子及びテーブルとして使用出来ることを特徴とするベッドである。【０００６】  この課題を解決するための請求項３の発明は、支柱・横はり・縦はり・継手を組立式にしたことにより、収納体積を最小に出来収納スペースを取らずね収納ＢＯＸに肩かけ及びリュクかけを設けたことにより持ち運びを容易に出来ることを特徴とするベッドである。
【発明の効果】
【０００７】  上述したように本発明のベッドは、プライベートベッド及びテーブル付背もたれ椅子として使用出来る機能を提供出来る。【０００８】  また、収納ＢＯＸに肩かけおよびリュクかけを設けたことにより、避難時に持ち運びが容易に出来、保管スペースもとらないベッドを提供出来る。
【発明を実施するための最良の形態】
【０００９】  以下、本発明の実施の形態を図１〜図２２に基づいて説明する。【００１０】  図１〜図１０は、ベット使用時の図面ある。
はり差込み孔のついた支柱（１・２）に、Ｌ字状の横はり（３・４）及び縦はり（５）を差込みはりどうしは、継手（６・７・８）により接続することによりベッド骨組を形成する。
この骨組、にフック（１５）の付いたベッドシート（１３）をセットすることによりベッド形状になる。
ベッド形状を形成した後、支柱（１・２）の頭部にテント支柱（９）を差込み、継手（１１・１２）を用いてテント支柱（１０）を連結しその上にテント形カバー（１８）を被せることによりプライベートベート保護を計る。【００１１】  図１１〜図１９は、椅子使用時の図面ある。
上記で示したベッド骨組みの中間部の横はり（４）をはずし、ベッドシート（１３）のファスナーを開いてベッドシート（１３）中間部を開放して椅子形状を作成する。
はずしたベッド骨組み中間部のＬ字形横はり（４）の長手方向を継手（８）に差込み短手方向は差込み口の付いたテーブル（２０）に差込む。
背もたれ支柱（１６）を継手（７）に差込み、背もたれ支柱（１７）は背もたれ支柱（１６）に差込む。この背もたれ支柱に、背もたれシート（１９）を被せて背もたれを構成する。【００１２】  図２０〜図２２は、収納時の図面ある。
分解した各パーツは、収納ＢＯＸ（２１）に収めて保管する。
持ち運ぶ時は、収納ＢＯＸに付いたリュクかけ（２３）にリュクサック・防災袋を掛けることで一体化出来、肩かけ（２２）を利用して容易に持ち運べる。
【図面の簡単な説明】
【００１３】
【図１】  ベット使用時斜視図
【図２】  ベット使用時骨組斜視図
【図３】  ベット使用時平面図
【図４】  ベット使用時Ａ−Ａ側面図
【図５】  ベット使用時Ｂ−Ｂ側面図
【図６】  ベット使用時Ｃ−Ｃ側面図
【図７】  ベット使用時Ｄ−Ｄ側面図
【図８】  ベット使用時組立図１
【図９】  ベット使用時組立図２
【図１０】  ベット使用時組立図３
【図１１】  椅子使用時斜視図
【図１２】  椅子使用時平面図
【図１３】  椅子使用時Ｅ−Ｅ側面図
【図１４】  椅子使用時Ｆ−Ｆ側面図
【図１５】  椅子使用時Ｇ−Ｇ側面図
【図１６】  椅子使用時Ｈ−Ｈ側面図
【図１７】  椅子使用時組立図４
【図１８】  椅子使用時組立図５
【図１９】  椅子使用時組立図６
【図２０】  収納ＢＯＸ平面図
【図２１】  収納ＢＯＸ外観図
【図２２】  収納ＢＯＸ外観図
【符号の説明】
【００１４】  １    支柱Ａ
２    支柱Ｂ
３    横はりＡ
４    横はりＢ
５    縦はりＡ
６    継手Ａ
７    継手Ｂ
８    継手Ｃ
９    テント支柱Ａ
１０  テント支柱Ｂ
１１  継手Ｄ
１２  継手Ｅ
１３  ベッドシート
１４  ファスナー
１５  フック
１６  背もたれ支柱Ａ
１７  背もたれ支柱Ｂ
１８  テント形カバー
１９  背もたれシート
２０  テーブル
２１  収納ＢＯＸ
２２  肩かけ
２３  リュクかけ
【図１】
2007160030.tif 000003
【図２】
2007160030.tif 000004
【図３】
2007160030.tif 000005
【図４】
2007160030.tif 000006
【図５】
2007160030.tif 000007
【図６】
2007160030.tif 000008
【図７】
2007160030.tif 000009
【図８】
2007160030.tif 000010
【図９】
2007160030.tif 000011
【図１０】
2007160030.tif 000012
【図１１】
2007160030.tif 000013
【図１２】
2007160030.tif 000014
【図１３】
2007160030.tif 000015
【図１４】
2007160030.tif 000016
【図１５】
2007160030.tif 000017
【図１６】
2007160030.tif 000018
【図１７】
2007160030.tif 000019
【図１８】
2007160030.tif 000020
【図１９】
2007160030.tif 000021
【図２０】
2007160030.tif 000022
【図２１】
2007160030.tif 000023
【図２２】
2007160030.tif 000024